【事件の表示】
　特願２０１６−５０７０９３「子宮筋腫治療に用いるプロゲステロン受容体調節剤」拒絶査定不服審判事件〔平成２６年１０月１６日国際公開、ＷＯ２０１４／１６７５１０、平成２８年６月９日国内公表、特表２０１６−５１６７６４〕について、次のとおり審決する。
【結　論】
　本件審判の請求は、成り立たない。
【理　由】
第１　手続の経緯
　本願は、２０１４年４月９日（パリ条約による優先権主張　２０１３年４月１０日　ハンガリー（ＨＵ））を国際出願日とする特許出願であって、出願後の主な手続の経緯は以下のとおりである。
　平成３０年　２月　２日付け　：拒絶理由通知
　平成３０年　８月　７日　　　：意見書及び手続補正書の提出
　平成３１年　１月１０日付け　：拒絶査定
　令和　１年　５月１６日　　　：審判請求書の提出
　令和　１年　６月２６日　　　：手続補正書（方式）の提出
第２　本願発明について
１　本願発明
　本願に係る発明は、平成３０年８月７日提出の手続補正書により補正された特許請求の範囲の請求項１〜１０に記載された事項により特定されるものであるところ、その請求項１に係る発明（以下「本願発明」という）は、次のとおりのものである。
「【請求項１】
　少なくとも２回の治療期間のうち、治療上有効な量で子宮筋腫の治療に使用する酢酸ウリプリスタルまたは、ＣＤＢ−３８７７、ＣＤＢ−３９６３、ＣＤＢ−３２３６若しくはＣＤＢ−４１８３から選択される何れかの代謝産物であって、
前記酢酸ウリプリスタルまたは、ＣＤＢ−３８７７、ＣＤＢ−３９６３、ＣＤＢ−３２３６若しくはＣＤＢ−４１８３から選択される何れかの代謝産物は後続治療期間に投与されることになっており、一つの治療期間は２〜６ヶ月間続き、各治療期間の後に薬を使用しない期間が続く酢酸ウリプリスタルまたは、ＣＤＢ−３８７７、ＣＤＢ−３９６３、ＣＤＢ−３２３６若しくはＣＤＢ−４１８３から選択される何れかの代謝産物。」
第３　原査定の拒絶の理由について
　原査定の拒絶の理由は、本出願の請求項１〜１０に係る発明は、引用文献１〜４に記載された発明であるから、特許法第２９条第１項第３号に該当し、特許を受けることができない、というものである。
引用文献１：Nieman,L.K. et al.，Efficacy and tolerability of CDB-2914 treatment for symptomatic uterine fibroids: a randomized, double-blind, placebo-controlled, phase IIb study.，Fertil. Steril.，２０１１年　２月　１日，Vol.95, No.2，p.767-772
引用文献２：Donnez,J. et al.，Ulipristal acetate versus placebo for fibroid treatment before surgery.，N. Engl. J. Med.，２０１２年　２月　２日，Vol.366, No.5，p.409-420
引用文献３：Donnez,J. et al.，Ulipristal acetate versus leuprolide acetate for uterine fibroids.，N. Engl. J. Med.，２０１２年　２月　２日，Vol.366, No.5，p.421-432
引用文献４：特表２０１１−５１０９４９号公報
第４　引用文献の記載及び引用発明
１　引用文献１について
（１）原査定の拒絶の理由で引用された引用文献１には、次の事項が記載されている（注：下線部は合議体が付した）。原文は英文なので、合議体による訳文で記載した。
「CDB-2914による症候性子宮筋腫の治療の有効性と忍容性：無作為、二重盲検、プラセボ対照、第IIb相臨床試験」（表題）
「目的：
プロゲステロン受容体モジュレーターCDB-2914
有効性と忍容性の評価
試験計画：無作為、プラセボ対照及び二重盲検臨床試験
実施地：臨床研究センター
患者：
症候性子宮筋腫を罹患する閉経前女性
介入：
12週間にわたる1日1回の経口CDB（10又は20 mg）
の投与（治療1）
二回目のCDBによる3か月の治療
主目標：磁気共鳴画像法（MRI）によって決定された
総筋腫体積（TFV）の変化
無月経と生活の質（QOL）
結果：
治療1のTFVは
CDB10及びCDB20群で17％及び24％減少した
TFVは治療2において、さらに減少した（-11％）
CDBは忍容性がよく、重大な有害事象はなかった
有害事象は治療中に変化しなかった
結論：CDB-2914を3〜6か月間投与すると、出血が抑制され、子宮筋腫のサイズが縮小し、QOLが改善される。」（要約）
「
CDB-2914
１７α−アセトキシ−１１β−［４−Ｎ，Ｎ−ジメチルアミノフェニル）−１９−ノルプレグナ−４，９−ジエン−３，２０−ジオン
酢酸ウリプリスタル
「結論として、CDB−２９１４は、
症候性子宮筋腫
（２）上記（１）によれば、引用文献１には、酢酸ウリプリスタルが症候性子宮筋腫の治療に有用であることが記載されている。
　そうすると、引用文献１には、次のとおりの発明が記載されていると認められる。
「症候性子宮筋腫の治療に有用な酢酸ウリプリスタル。」（以下「引用発明１」という。）
２　引用文献４について
（１）原査定の拒絶の理由で引用された引用文献４には、次の事項が記載されている。以下では、平成２４年３月８日に発行がされた特許法第１７条の２の規定による補正の掲載による特許請求の範囲及び明細書の該当箇所を摘記している（注：下線部は合議体が付した）。
「【請求項１】
　
子宮筋腫
の治療方法であって
それを必要とする患者に有効量
17α-アセトキシ-11β-[4-N,N-ジメチルアミノ-フェニル)-19-ノルプレグナ-4,9-ジエン-3,20-ジオン(酢酸ウリプリスタル)
を投与することを含む方法
・・・
【請求項７】
　患者に経口用量の酢酸ウリプリスタルまたはそのあらゆる代謝産物を
約2〜約4ヶ月の期間にわたり投与する
【請求項８】
　
1年に1回反復する
「【００１１】
　患者に、経口用量の酢酸ウリプリスタルまたはその代謝産物を
約2〜約4ヶ月の期間にわたり投与することがあり、この期間は1年に1回反復することができる
【００１７】
(発明の詳細な説明)
　
酢酸ウリプリスタル(以前はCDB-2914として知られていた)
下記式I
17α-アセトキシ-11β-[4-N,N-ジメチルアミノ-フェニル)-19-ノルプレグナ-4,9-ジエン-3,20-ジオン
【化１】
・・・
【００２４】
酢酸ウリプリスタルまたはその代謝産物は、子宮筋腫に罹患した患者の貧血を予防または治療するのに有用である。
・・・
【００４１】
　特定の態様において、患者に、経口用量の酢酸ウリプリスタルを
約2〜約4ヶ月の期間にわたり投与することができよう
・・・
【００４５】
　ある特定の態様において、
治療期間は1年に1回または2年ごとに反復することができる
・・・
結 果
【００５３】
　22人の女性が包含基準を満たし、18人の女性(黒人72％、白人28％)が試験を完了した。PL（合議体注：プラセボ）を受けた6人は酢酸ウリプリスタル群と同様の平均年齢およびBMIであった。MR画像により測定した子宮筋腫体積の全変化に対する完全なデータが18人の完了者から利用可能であった。
3ヶ月の試験インターバル中に
総子宮筋腫体積は
10mgおよび20mgを投与された者で36％および21％の減少がみられた
（２）上記（１）によれば、引用文献４には、酢酸ウリプリスタルが子宮筋腫の治療に有用であることが記載されている。
　そうすると、引用文献４には、次のとおりの発明が記載されていると認められる。
「子宮筋腫の治療に有用である酢酸ウリプリスタル。」（以下「引用発明４」という。）
第５　対比及び判断
１　本願発明と引用発明１との対比・判断
（１）対比
　本願発明において子宮筋腫の治療に使用する化合物が「酢酸ウリプリスタル」である場合の発明と引用発明１とを対比すると、両者は以下の点で一致し、また、以下の点で一応相違する。
＜一致点＞
「酢酸ウリプリスタル」
＜一応の相違点＞
　本願発明は、酢酸ウリプリスタルに、「治療上有効な量で子宮筋腫の治療に使用する」という用途限定が付され、さらに、「少なくとも２回の治療期間のうち」、「後続治療期間に投与されることになっており、一つの治療期間は２〜６ヶ月間続き、各治療期間の後に薬を使用しない期間が続く」ものであるとの用途限定が付されているのに対し、引用発明１は、酢酸ウリプリスタルに、上記のような用途限定は付されていない点。
（２）判断
　
　上記一応の相違点の「治療上有効な量で子宮筋腫の治療に使用する」及び「少なくとも２回の治療期間のうち」、「後続治療期間に投与されることになっており、一つの治療期間は２〜６ヶ月間続き、各治療期間の後に薬を使用しない期間が続く」という用途限定は、化合物である酢酸ウリプリスタルの有用性を示しているにすぎず、本願発明は、当該用途限定のない化合物である酢酸ウリプリスタルそのものであると解される（特許審査基準　第III部　第２章　第４節　3.1.1, 3.1.2, 3.1.3(1) 参照）。
　したがって、用途限定の有無についての上記一応の相違点は、実質的な相違点とはいえないから、本願発明は、引用文献１に記載された発明である。
２　本願発明と引用発明４との対比・判断
（１）対比
　本願発明において子宮筋腫の治療に使用する化合物が「酢酸ウリプリスタル」である場合の発明と引用発明４とを対比すると、両者は以下の点で一致し、また、以下の点で一応相違する。
＜一致点＞
「酢酸ウリプリスタル」
＜一応の相違点＞
　本願発明は、酢酸ウリプリスタルに、「治療上有効な量で子宮筋腫の治療に使用する」という用途限定が付され、さらに、「少なくとも２回の治療期間のうち」、「後続治療期間に投与されることになっており、一つの治療期間は２〜６ヶ月間続き、各治療期間の後に薬を使用しない期間が続く」ものであるとの用途限定が付されているのに対し、引用発明４は、酢酸ウリプリスタルに、上記のような用途限定は付されていない点。
（２）判断
　
　上記１（２）において説示した理由と同様の理由により、用途限定の有無についての上記一応の相違点は、実質的な相違点とはいえないから、本願発明は、引用文献４に記載された発明である。
３　請求人の主張について
（１）請求人は、令和１年６月２６日提出の手続補正書（方式）の「４．本願発明が特許されるべき理由」の「（２）」において、「原査定において、本願発明は化合物の有用性を示しているにすぎないと解されておりますが、その記載表現全体を見れば、医薬組成物の発明であることは明らかであります。」（２頁下から４〜２行）と主張している。
　しかしながら、上記１（２）において説示したように、本願発明に係る請求項１の記載をみると、その末尾は、「酢酸ウリプリスタルまたは、ＣＤＢ−３８７７、ＣＤＢ−３９６３、ＣＤＢ−３２３６若しくはＣＤＢ−４１８３から選択される何れかの代謝産物。」であるから、本願発明は、「酢酸ウリプリスタルまたは、ＣＤＢ−３８７７、ＣＤＢ−３９６３、ＣＤＢ−３２３６若しくはＣＤＢ−４１８３から選択される何れかの代謝産物。」という化合物の発明と解され、「治療上有効な量で子宮筋腫の治療に使用する」及び「少なくとも２回の治療期間のうち」、「後続治療期間に投与されることになっており、一つの治療期間は２〜６ヶ月間続き、各治療期間の後に薬を使用しない期間が続く」という記載は、化合物である酢酸ウリプリスタルやＣＤＢ−３８７７等の代謝産物の有用性を示しているにすぎないと解される（特許審査基準　第III部　第２章　第４節　3.1.1, 3.1.2, 3.1.3(1) 参照）。
　したがって、請求人の上記主張は採用できない。
（２）請求人は、上記手続補正書（方式）において、請求項４−７に係る発明は特許されてしかるべきものであり、請求項４−７に係る発明について、その記載の末尾を、例えば「〜を有効成分とする子宮筋腫の治療剤」のように補正する必要があれば、その旨対応する用意がある旨を主張している。
　しかしながら、請求人は、請求項１〜３に係る発明についての拒絶査定の理由については何ら反論していない。
　そして、請求項１に係る発明である本願発明は、引用文献１又は４に記載された発明であることは、上記１及び２に説示したとおりである。
　なお、請求項１〜３を削除し、請求項４に係る発明の末尾を「〜を有効成分とする子宮筋腫の治療剤」と補正したとしても、次に示すとおり、当合議体は、依然として拒絶理由が存するものと判断する。
　引用文献４には、上記第４　２（２）の説示に加えて、酢酸ウリプリスタルを約2〜約4ヶ月の期間にわたり投与すること、その期間を１年に１回又は２年ごとに反復することが記載されているから（請求項７〜８、【００１１】、【００４１】、【００４５】を参照）、引用文献４には、「酢酸ウリプリスタルを有効成分とする子宮筋腫の治療剤であって、酢酸ウリプリスタルを約2〜約4ヶ月の期間にわたり投与し、当該期間を１年に１回又は２年ごとに反復するものである、治療剤。」の発明が記載されていると認められる。
　引用文献４に記載された上記発明において、約2〜約4ヶ月の期間にわたり酢酸ウリプリスタルを投与し、その後再び酢酸ウリプリスタルを投与するまでの間には、約8〜10ヶ月程度の薬を使用しない期間が存在するものと認められるから、そうすると、その薬を使用しない期間には、請求項４に記載される「少なくとも１回の月経サイクル」が含まれるものと解される。
　したがって、請求項４に係る発明の末尾を上記のように補正したとしても、当該補正がされた発明は、引用文献４に記載された発明であるといえる。
　よって、請求人の上記主張を検討しても、本願は拒絶すべきものである。
４　小括
　したがって、本願発明は引用文献１又は４に記載された発明である。
第６　むすび
　以上のとおり、本願発明は、引用文献１又は４に記載された発明であるから、特許法第２９条第１項第３号に該当し特許を受けることができない。
　したがって、他の請求項に係る発明を検討するまでもなく、本願は、拒絶されるべきものである。
　よって、結論のとおり審決する。